(57)【特許請求の範囲】
【請求項１】
先端と後端を有し、釣竿に接触して巻き糸が巻かれる取付部と、
上記取付部の後端から延び上記取付部と一体に形成される支脚フレームと、
上記取付部の後端から延び少なくとも上記支脚フレームの全長にわたって上記支脚フレームと複合して、長手方向に段差なく滑らかに形成されている支脚部と、
上記支脚部の先端に位置し釣り糸が通過するガイドリング部と、
を含み、
上記取付部及び支脚フレームは金属材料からなり、
上記支脚部及びガイドリング部の一部または全部はプラスチック材料からなり、
上記支脚フレームの先端は上記支脚部の先端よりも下側に位置して上記ガイドリング部と接しず、
上記支脚フレームの少なくとも一部の断面積が上記支脚フレームの先端へ行くほど小さくなる、
釣り糸ガイド。
【請求項２】
上記取付部は上記釣竿に接触する下面と上記下面の反対となる上面を有し、
上記支脚部は上記上面と接触するように上記支脚フレームと複合している、
請求項１に記載の釣り糸ガイド。
【請求項３】
上記上面の上記支脚部と接触しない部分の上記上面の全体に対する長さまたは面積比率が８０％以上である、請求項２に記載の釣り糸ガイド。
【請求項４】
上記取付部は上記釣竿に接触する下面と上記下面の反対となる上面を有し、
上記支脚部は上記上面との間に間隙をおいて上記支脚フレームと複合している、
請求項１に記載の釣り糸ガイド。
【請求項５】
上記間隙のサイズは２ｍｍ以下である、
請求項４に記載の釣り糸ガイド。
【請求項６】
上記支脚フレームと上記支脚部との横断面における複合範囲は上記支脚フレームの横断面における外周の５０％〜１００％である、
請求項１に記載の釣り糸ガイド。
【請求項７】
上記支脚フレームは上記取付部の後端から延びる一対の支脚フレームを含み、
上記一対の支脚フレームの上記取付部の後端に連結される各根元部は共通部を介して一体に形成される、
請求項１に記載の釣り糸ガイド。
【請求項８】
上記支脚フレームは断面積が一定な中間部を有し、上記支脚フレームの断面積は上記中間部から上記支脚フレームの先端へ行くほど小さくなる、
請求項１に記載の釣り糸ガイド。
【請求項９】
上記支脚フレームは上記支脚部を固着する少なくとも１つの凹部を有する、
請求項１に記載の釣り糸ガイド。
【請求項１０】
上記取付部及び支脚フレームをなす金属材料はチタン、アルミニウム、マグネシウム、チタン合金、アルミニウム合金、マグネシウム合金、ステンレス鋼及び形状記憶合金のうち１つ以上を含み、
上記支脚部及びガイドリング部の一部または全部をなすプラスティック材料は熱可塑性繊維強化プラスティックを含み、
上記支脚部及びガイドリング部はインサート成形により形成される、
請求項１に記載の釣り糸ガイド。
【請求項１１】
上記取付部及び支脚フレームをなす金属材料チタン、アルミニウム、マグネシウム、チタン合金、アルミニウム合金、マグネシウム合金、ステンレス鋼及び形状記憶合金のうち１つ以上を含み、
上記支脚部及びガイドリング部は樹脂浸透加工材の積層成形により形成される、
請求項１に記載の釣り糸ガイド。
【請求項１２】
請求項１〜請求項１１のうちいずれか１項の釣り糸ガイドを備える釣竿。
【請求項１３】
先端と後端を有し、釣竿に接触して巻き糸が巻かれる取付部と、
上記取付部の後端から延び上記取付部と一体に形成される支脚フレームと、
上記取付部の後端から延び少なくとも上記支脚フレームの全長にわたって上記支脚フレームと複合しており、リールが装着されるシート本体と、
を含み、
上記取付部及び支脚フレームは金属材料からなり、
上記シート本体の一部または全部はプラスチック材料からなり、
上記支脚フレームの少なくとも一部の断面積は上記支脚フレームの先端へ行くほど小さくなる、
リールシート。
【請求項１４】
請求項１３に記載のリールシートを備える釣竿。
【発明の詳細な説明】
【技術分野】
【０００１】
本発明は釣竿に取り付けられる部品、特に釣り糸ガイド、リールシートのような釣竿用部品に関するものである。また、本発明はこのような釣竿用部品を有する釣竿に関するものである。
【背景技術】
【０００２】
釣竿には釣り糸を案内する部品、いわゆる釣り糸ガイドや、釣り糸を巻き取ったり放出するための部品、いわゆるリールが取り付けられる。釣り糸ガイドは釣竿の外周面に接触する取付部を有し、その取付部を釣竿に接触させ、取付部を巻き糸で巻き付けて釣竿に固着させることによって釣竿に取り付けられる。リールは釣竿の外周面に接触する取付部を有するリールシートに装着することができ、リールシートの取付部を釣竿に接触させ、取付部を巻き糸で巻き付けて釣竿に固着させることによって釣竿に取り付けられる。【０００３】
前述した釣竿用部品の例として、大韓民国登録実用新案第２０-０３６６９２８号公報（特許文献１）は釣り糸を案内する釣り糸ガイドを開示する。また、前述した釣竿用部品の例として、大韓民国登録実用新案第２０―０３０２０３３号公報（特許文献２）は釣り糸を巻き取ったり放出するためのリールを装着するためのリールシートを開示する。
【先行技術文献】
【特許文献】
【０００４】
【特許文献１】大韓民国登録実用新案第２０―０３６６９２８号公報
【特許文献２】大韓民国登録実用新案第２０―０３０２０３３号公報
【発明の概要】
【発明が解決しようとする課題】
【０００５】
釣り糸ガイドは釣り糸が通過する部品であって、釣り糸にかかった負荷を釣竿に分散及び伝達する。また、仕掛けをキャストする際に、リールから放出された釣り糸を誘導する。釣り糸ガイドの設計要因として、構造的強度、軽量化、釣竿に固着するための巻き糸との固定のための形状や、釣糸が引っ掛からない形状などが考慮される。【０００６】
釣り糸ガイドの強度を十分に確保するために、釣り糸ガイドは金属材料からなってきた。図２３Ａは全体が金属材料からなる釣り糸ガイドが釣竿に取り付けられたものを例示する。図２３Ａに示す従来技術の釣り糸ガイド２０は釣竿１０に接触する取付部２１と、取付部２１から延びる支脚部２２と、支脚部２２の先端に形成され釣り糸が通過するガイドリング部２３を有する。取付部２１の全長にわたって巻き糸１１を巻き付け、巻き糸１１が巻き付けられた部分に接着剤を塗布してコーティング層１２を形成して、釣り糸ガイド２０を釣竿１０に取り付ける。【０００７】
巻き糸１１の巻き付けと関連して、釣竿１０における巻き糸が巻き付けられた部分の美麗な外観及び釣竿から取付部２１が脱離しない固定強度確保のために、巻き糸１１を密に巻き付けることが重要である。このために、巻き糸１１が巻き付けられる取付部２１は段差がないように、またその先端部は滑らかに薄く形成される必要がある。また、釣竿への取付工程において、前に巻き付けられた巻き糸１１の上に次の巻き糸が乗り上がらないように、即ち巻き糸１１が１つの工程に２重以上に巻き付けられないようにすることが重要である。これは、巻き糸１１が２重以上巻き付けられた部分に接着剤が塗布されれば、硬化したコーティング層１２には段差が発生し、このような段差は美麗な外観を損ない、且つ、釣りの途中に釣り糸の引っ掛かりを誘発することがあるためである。【０００８】
釣りにおけるキャストや感度を向上させるためには釣竿自体の軽量化が必要であり、これに関連する研究が当該分野で行われている。これとともに、釣竿に取り付けられる部品の軽量化に関する研究もまた当該分野で行われている。図２１Ａに示す釣り糸ガイド２０は金属製であるため軽量化を達成するのに限界がある。釣り糸ガイドの材料として金属より軽量である繊維強化プラスチックのようなプラスチック材料を用いた釣り糸ガイドがある。図２３Ｂは全体が繊維強化プラスチックからなる釣り糸ガイドを例示する。【０００９】
図２３Ｂに示す釣り糸ガイド３０は、図２３Ａに示す金属製の釣り糸ガイド２０に比べて厚い取付部３１及び支脚部３２を有する。これは、プラスチック材料は金属材料に比べて弾性率や強度が低いため、もっとも大きい負荷がかかるようになる取付部３１と支脚部３２間の連結部３４を大きい曲率半径で厚く形成して、釣り糸ガイドが要求する弾性率と強度を補充するためである。大きい曲率半径で厚く形成した連結部３４に巻き糸１１を巻き付けると、先に巻き付けられた巻き糸の上に後続する巻き糸が乗り上がって巻き糸１１が２重以上に巻き付けられやすく、これは前述したコーティング層１２の段差を発生させるようになる。また、図２３Ｂに示す釣り糸ガイド３０は、取付部３１の先端を滑らかに薄くすることが困難なため、金属製の釣り糸ガイド２０に比べて厚い取付部３１を有する。これは、金型における取付部の先端を形成する部分に溶融したプラスチック材料が十分に注入されない現象により、成形された取付部に欠損ができやすく、金型の加工精度が低い場合バリ（burr）が発生しやすいからである。厚い取付部３１により、取付部３１は釣竿１０における大きな凸となり、巻き糸を巻き付け、コーティングされても、美麗な外観を損なう。【００１０】
金属製の釣り糸ガイドの代案として、プリプレグ（prepreg）積層成形、即ち、樹脂浸透加工材の積層成形により釣り糸ガイドを製造することが考えられる。図２３Ｃはプリプレグ積層成形により全体が繊維強化プラスチックからなる釣り糸ガイド４０を例示する。プリプレグ積層成形により製造される釣り糸ガイド４０においては、取付部４１の先端部４５が先端へ行くほど薄くなることができず厚く設計される。これは、取付部４１の先端部４５が薄くなるように切削加工した場合、積層が剥離したり繊維の毛羽が発生しやすいためである。従って、取付部４１の厚い先端部４５の前に巻き糸１１が幾重に巻き付けられるようになる。また、取付部４１と支脚部４２の連結部４４はプリプレグ積層体を急激に曲げると繊維が折れる問題があるため大きい曲率半径で厚く形成される。従って、この場合にも、巻き糸１１が２重以上に巻き付けられて前述したコーティング層１２の段差を発生させるようになる。【００１１】
前述した従来技術の釣り糸ガイドにおいて、釣り糸ガイドの軽量化のために繊維強化プラスチックのようなプラスチック材料からなる釣り糸ガイドは、厚い連結部または厚い先端部を必然的に有するようになるので、取付部の薄くて滑らかな先端、巻き糸の密な巻き付けを達成できない。このように、従来技術の釣り糸ガイドは軽量化の追求、要求される強度の充足及び、美麗な外観の確保と段差発生の防止という設計要因が両立できない。【００１２】
本発明は、このような従来技術の問題点を解決するために創案されたものであって、要求される強度を保障しつつも軽量でなり、巻き糸が巻き付けられた部分は美麗な外観となり、釣り糸の引っ掛かりを誘発する段差を発生させない釣竿用部品及びこれを備える釣竿を提供することを目的とする。
【課題を解決するための手段】
【００１３】
本発明の一側面によれば、釣竿に取り付けられて釣り糸を案内する釣り糸ガイドが提供される。例示的実施例において、釣り糸ガイドは、取付部と、支脚フレームと、支脚部と、ガイドリング部とを備える。上記取付部は先端と後端を有し、釣竿に接触して巻き糸が巻かれる。上記支脚フレームは、上記取付部の後端から延び上記取付部と一体に形成されている。上記取付部及び支脚フレームは金属材料からなる。上記支脚部は上記取付部の後端から延び少なくとも上記支脚フレームの全長にわたって上記支脚フレームと複合して、長手方向に段差なく滑らかに形成されている。上記ガイドリング部は上記支脚部の先端に位置し、釣り糸が通過する。上記支脚部及びガイドリング部はその一部または全部がプラスチック材料からなる。上記支脚フレームの先端は上記支脚部の先端よりも下側に位置して上記ガイドリング部と接しない。上記支脚フレームの少なくとも一部の断面積は上記支脚フレームの先端へ行くほど小さくなる。【００１４】
実施例において、上記取付部は上記釣竿に接触する下面と上記下面の反対となる上面を有し、上記支脚部は上記上面と接触するように上記支脚フレームと複合している。このような例において、上記上面の上記支脚部と接触しない部分の上記上面の全体に対する長さまたは面積比率は、８０％以上となり得る。【００１５】
実施例において、上記取付部は上記釣竿に接触する下面と上記下面の反対となる上面を有し、上記支脚部は上記上面との間に間隙をおいて上記支脚フレームと複合している。このような例において、上記間隙のサイズは２ｍｍ以下である。また、上記間隙がある支脚フレームの面の反対側となる面における支脚部の少なくとも一部は釣竿に接触している。【００１６】
実施例において、上記支脚フレームと上記支脚部の横断面における複合範囲は、上記支脚フレームの横断面における外周の５０％〜１００％であり得る。【００１７】
実施例において、上記支脚フレームは、上記取付部の後端から延びる一対の支脚フレームを含み、上記一対の支脚フレームの上記取付部の後端に連結される各根元部は共通部を介して一体に形成されることができる。【００１８】
実施例において、上記支脚フレームは断面積が一定な中間部を有し、上記支脚フレームの断面積は上記中間部から上記支脚フレームの先端へ行くほど小さくなる。【００１９】
実施例において、上記支脚フレームは少なくとも１つの凹部を有する。
実施例において、上記取付部及び支脚フレームをなす金属材料はチタン、アルミニウム、マグネシウム、チタン合金、アルミニウム合金、マグネシウム合金、ステンレス鋼及び形状記憶合金のうち１つ以上を含み、上記支脚部及びガイドリング部の一部または全部をなすプラスチック材料は熱可塑性繊維強化プラスチックを含む。上記支脚部及びガイドリング部はインサート成形によって形成される。【００２０】
実施例において、上記取付部及び支脚フレームをなす金属材料はチタン、アルミニウム、マグネシウム、チタン合金、アルミニウム合金、マグネシウム合金、ステンレス鋼及び形状記憶合金のうち１つ以上を含む。上記支脚部及びガイドリング部は樹脂浸透加工材の積層成形によって形成される。【００２１】
本発明の他の側面はリールを装着するために釣竿に取り付けられるリールシートに関連する。例示的実施例において、リールシートは取付部と、支脚フレームと、シート本体とを備える。上記取付部は先端と後端を有し、釣竿に接触して巻き糸が巻かれる。上記支脚フレームは、上記取付部の後端から延び上記取付部と一体に形成されている。上記取付部及び支脚フレームは金属材料からなる。上記シート本体の一部または全部がプラスチック材料からなりその上にリールが装着される。上記シート本体は、上記取付部の後端から延び少なくとも上記支脚フレームの全長にわたって上記支脚フレームと複合している。上記支脚フレームの少なくとも一部の断面積は上記支脚フレームの先端へ行くほど小さくなる。【００２２】
本発明のもう一つの側面は、前述した釣り糸ガイドまたはリールシートを備える釣竿を提供する。実施例の釣竿は少なくとも一つの前述した釣り糸ガイド備える。また、実施例の釣竿は前述したリールシートを備える。また、実施例の釣竿は前述した釣り糸ガイド及びリールシートをいずれも備える。
【発明の効果】
【００２３】
実施例における釣り糸ガイドとリールシートによれば、取付部とこれから延び支脚部またはリールシート本体と複合する支脚フレームは金属材料であって一体に形成されているのに対し、支脚部またはリールシート本体はその一部または全部がプラスチック材料からなり、取付部と支脚フレーム間の連結部まで複合している。従って、釣り糸ガイドとリールシートは全体が金属材料からなる従来の部品より軽量となる。また、取付部は薄く形成することができ、取付部と支脚フレーム間の連結部における損傷または破損が防止され、取付部に巻き糸を巻き付ける際に、美麗な外観を損なうことなく、段差を発生させない。【００２４】
また、支脚部は少なくとも支脚フレームの全長にわたって支脚フレームと複合しているので、支脚部と支脚フレームが長手方向に段差なく滑らかに形成され、キャスト時に釣り糸が釣り糸ガイドのガイドリング部に巻き付いて絡みが発生しても、釣り糸が釣り糸ガイドを回りながら形成される折り返し部が支脚部に沿って良好に移動して釣り糸の絡みが容易に解消されるようになる。【００２５】
支脚フレームの先端は支脚部の先端よりも下側に位置してガイドリング部と接しないので、釣竿の上側に位置するガイドリング部および支脚部の先端部分が軽量となり、キャスト時における、釣竿の軸を中心に働くねじれモーメントを軽減させ、正確で安定したキャストを行える効果がある。【００２６】
又、魚を釣り上げる際には、釣り糸にテンションが掛かり、ガイドリング部へ負荷を伝達する。その負荷における力のモーメント上、支脚部の強度バランスはガイドリング部へ向かう程、低くなるのが好ましい。支脚フレームは先端へ行くほど小さくなる断面積を有するので、支脚部は全体の強度バランスを確保しつつも、軽量で且つ、細く形成することができる。また、このような構造の支脚フレームはインサート成形において支脚部と柔軟に複合され、優れた部品加工性を達成することができる。また、支脚部が弾性変形するとき、支脚フレームの先端部は剛性が低く、柔軟性が優れているため、これに複合する支脚部間に剥離が発生するのを防ぐ。【００２７】
従って、本発明によれば、要求される強度を保障しながらも軽量でなり、巻き糸が巻き付けられた部分は美麗な外観となり、釣り糸の引っ掛かりを誘発する段差を発生させない釣竿用部品及びこれを備えた釣竿を提供することができる。
【図面の簡単な説明】
【００２８】
【図１】本発明の一実施例による釣り糸ガイドが取り付けられた釣竿を示す斜視図である。
【図２】本発明の一実施例による釣り糸ガイドを示す斜視図である。
【図３】図２に示す釣り糸ガイドの取付部及び支脚フレームを示す斜視図である。
【図４Ａ】支脚フレームの先端部付近に形成される凹部の多様な例を示す第１の図である。
【図４Ｂ】支脚フレームの先端部付近に形成される凹部の多様な例を示す第２の図である。
【図４Ｃ】支脚フレームの先端部付近に形成される凹部の多様な例を示す第３の図である。
【図４Ｄ】支脚フレームの先端部付近に形成される凹部の多様な例を示す第４の図である。
【図５Ａ】支脚フレームと支脚部の横断面における複合例を示す第１の図である。
【図５Ｂ】支脚フレームと支脚部の横断面における複合例を示す第２の図である。
【図５Ｃ】支脚フレームと支脚部の横断面における複合例を示す第３の図である。
【図６】本発明の一実施例による釣り糸ガイドが釣竿に接触しているのを示す縦断面図である。
【図７】図６に示す釣り糸ガイドに巻き糸が巻き付けられたのを示す縦断面図である。
【図８】上面と支脚部の下端との間に間隙が形成された釣り糸ガイドが釣竿に接触しているのを示す縦断面図である。
【図９】図８に示す釣り糸ガイドに巻き糸が巻き付けられたのを示す縦断面図である。
【図１０】他の実施例による釣り糸ガイドを示す斜視図である。
【図１１】図１０に示す釣り糸ガイドの取付部及び支脚フレームを示す斜視図である。
【図１２】他の実施例による釣り糸ガイドを示す斜視図である。
【図１３】図１２に示す釣り糸ガイドの取付部及び支脚フレームを示す斜視図である。
【図１４】他の実施例による釣り糸ガイドを示す斜視図である。
【図１５】図１４に示す釣り糸ガイドの取付部、支脚フレーム、補助取付部及び補助支脚フレームを示す斜視図である。
【図１６Ａ】一実施例による釣り糸ガイドの樹脂浸透加工材の積層成形方法を概略的に示す第１の図である。
【図１６Ｂ】一実施例による釣り糸ガイドの樹脂浸透加工材の積層成形方法を概略的に示す第２の図である。
【図１６Ｃ】一実施例による釣り糸ガイドの樹脂浸透加工材の積層成形方法を概略的に示す第３の図である。
【図１７Ａ】一実施例によるキャスト時の釣り糸ガイドに対する釣り糸の絡みが解消される支脚部構造の釣り糸ガイドの例を示す第１の図である。
【図１７Ｂ】一実施例によるキャスト時の釣り糸ガイドに対する釣り糸の絡みが解消される支脚部構造の釣り糸ガイドの例を示す第２の図である。
【図１７Ｃ】一実施例によるキャスト時の釣り糸ガイドに対する釣り糸の絡みが解消される支脚部構造の釣り糸ガイドの例を示す第３の図である。
【図１７Ｄ】一実施例によるキャスト時の釣り糸ガイドに対する釣り糸の絡みが解消される支脚部構造の釣り糸ガイドの例を示す第４の図である。
【図１７Ｅ】一実施例によるキャスト時の釣り糸ガイドに対する釣り糸の絡みが解消される支脚部構造の釣り糸ガイドの例を示す第５の図である。
【図１８Ａ】釣り糸の絡みが解消されない支脚部構造の釣り糸ガイドの例を示す第１の図である。
【図１８Ｂ】釣り糸の絡みが解消されない支脚部構造の釣り糸ガイドの例を示す第２の図である。
【図１８Ｃ】釣り糸の絡みが解消されない支脚部構造の釣り糸ガイドの例を示す第３の図である。
【図１９】本発明の一実施例によるリールシートが取り付けられた釣竿を示す斜視図である。
【図２０】本発明の一実施例によるリールシートを示す斜視図である。
【図２１】図２０に示すリールシートの平面図である。
【図２２】図２０に示すリールシートの取付部及び支脚フレームを示す斜視図である。
【図２３Ａ】従来技術の釣り糸ガイドを示す第１の縦断面図である。
【図２３Ｂ】従来技術の釣り糸ガイドを示す第２の縦断面図である。
【図２３Ｃ】従来技術の釣り糸ガイドを示す第３の縦断面図である。
【発明を実施するための形態】
【００２９】
添付の図面を参照して本発明による釣り糸ガイド、リールシート及びこれを備えた釣竿の実施例を説明する。図面において同一の参照番号は同一または対応する要素または部品を指示する。
【００３０】
本明細書で用いられた「前方」、「前」などの方向指示語は釣竿のティップ（tip）側に向かう方向を意味し、「後方」、「後」などの方向指示語は釣竿のバット（butt）方向を意味する。また、本明細書で用いられた「上側」、「上」などの方向指示語はガイドリング部が取付部に対して位置する方向を基準とし、「下側」、「下」などの方向指示語はその反対方向を意味する。
【００３１】
本明細書に開示された実施例は、釣竿用部品の例であって、釣竿に取り付けられて釣り糸を案内する釣り糸ガイドとリールを装着するためのリールシートに関連する。本発明の概念が適用される釣竿用部品は上記釣り糸ガイドとリールシートに限定されず、取付部を巻き糸を用いて釣竿本体に取り付けるように構成される任意の部品を含む。
【００３２】
図１は本発明の釣竿用部品が取り付けられた釣竿を示す。釣竿１００は、細長い円筒状の複数の竿が差し込み式または抜き出し式により長く連結される構造を有してもよい。他の例として、釣竿１００は一つの竿で構成されてもよい。図１には釣竿１００の一部が示されている。釣竿用部品を釣竿に取り付けるために、釣竿用部品の釣竿に取り付けられる部分には巻き糸１１０が巻き付けられる。巻き糸１１０はナイロンまたはシルク材料を含むが、これに限定されない。巻き糸１１０を固着させて巻き糸１１０の解けを防止し、巻き糸１１０を埋めるために巻き糸１１０が巻き付けられた部分の全体に透明、半透明または不透明の接着剤を塗布して巻き糸１１０が巻き付けられた部分を覆うコーティング層１２０を形成する。上記接着剤はエポキシ系接着剤、ウレタン系接着剤、ＵＶ硬化型接着剤などを含むが、これに限定されない。
【００３３】
図１に示す釣竿１００はその一部に釣竿用部品の一例として釣り糸ガイド２００を備える。釣竿１００は一つまたは複数の釣り糸ガイド２００を備えることができる。釣り糸ガイド２００は、その取付部を釣竿１００に接触させ、巻き糸１１０で取付部の周囲を密に巻いて釣竿１００に取り付けられる。釣り糸ガイド２００の取付後、巻き糸１１０が巻き付けられた部分に上記接着剤を塗布してコーティング層１２０を形成する。コーティング層１２０により巻き糸１１０が巻き付けられた部分が滑らかな表面となる。
【００３４】
図２及び図３は釣り糸ガイド２００を詳細に示す。一実施例による釣り糸ガイド２００は、釣竿１００に取り付けられる取付部２１０と、取付部２１０の後端から延び取付部２１０と一体になっている支脚フレーム２２０と、取付部２１０の後端から延び少なくとも支脚フレーム２２０の全長にわたって支脚フレーム２２０と複合して、長手方向に段差なく滑らかに形成されている支脚部２３０と、支脚部２３０の先端に位置し釣り糸が通過するガイドリング部２４０と、ガイドリング部２４０に嵌合しセラミックや金属などで円形や楕円形に形成される硬質リング２５０を備える。
【００３５】
取付部２１０は釣り糸ガイド２００を釣竿１００に取り付けるために釣竿１００に接触する部分である。取付部２１０は先端２１３と後端２１４を有する。取付部２１０は全体的に細長い形状であり、また側面から見て先端２１３へ行くほど薄くなる形状を有する。取付部２１０の下面２１２は釣竿１００の外周面と接触し、平らであるか若干の曲率で窪むように形成されることができる。取付部２１０の先端部２１５は先端２１３へ行くほど薄くなり細くなる。
【００３６】
支脚フレーム２２０は取付部２１０の先端２１３の反対の側に位置する後端２１４から延びる。この実施例において、釣り糸ガイド２００は取付部２１０の後端２１４からＶ字状に延びる一対の支脚フレーム２２０を有する。または、一対の支脚フレーム２２０は取付部２１０の後端２１４からＵ字状に延びることもできる。取付部２１０と支脚フレーム２２０は金属材料であって一体になっている。一体の取付部２１０と支脚フレーム２２０を形成する金属材料はチタン、アルミニウム、マグネシウム、チタン合金、アルミニウム合金、マグネシウム合金、ステンレス鋼、または形状記憶合金を含む。取付部２１０と支脚フレーム２２０を形成する金属材料は前述した材料に限定されず、強度が高く薄く成形できる性質が良好な任意の金属またはその合金を含むことができる。
【００３７】
各支脚フレーム２２０の根元部２２１は取付部２１０の後端２１４に接続されている。この実施例において、各支脚フレーム２２０の根元部２２１は共通部２２４を介して一体に形成されている。支脚フレーム２２０の全長は支脚部２３０との複合とガイドリング部２４０の位置を考慮して定めることができる。支脚フレーム２２０は円形、楕円形、三角形、四角形、多角形などの多様な横断面形状を有することができる。図面に示す例で、支脚フレーム２２０は四角形横断面を有する。
【００３８】
支脚フレーム２２０はその一部区間における断面積または全体の断面積が先端２２３へ行くほど小さくなるように形成される。ここで、支脚フレーム２２０の断面積が先端へ行くほど小さくなるというのは、支脚フレーム２２０の一部区間または全体の縦断面積が先端２２３へ行くほど小さくなる場合や、支脚フレーム２２０の一部区間または全体の横断面積が先端２２３へ行くほど小さくなる場合や、または前記２つがいずれも該当する場合を含む。支脚フレーム２２０の先端２２３は支脚部２３０の先端支脚部２３０とガイドリング部２４０の境界よりも下側に位置しており、ガイドリング部２４０と接しない。
【００３９】
図３を参照すると、支脚フレーム２２０の横断面積は取付部２１０の後端２１４付近の根元部２１１で最も大きく、支脚フレーム２２０の先端２２３へ行くほど小さくなる。支脚フレーム２２０の先端２３０は鋭く形成されるか、略球面に形成されている。支脚フレーム２２０の横断面積が先端２３０へ行くほど小さくなるので、先端へ行くほど剛性が低くなる。従って、支脚フレーム２２０は支脚部２３０との成形時例えば、インサート成形、支脚部２３０と柔軟に複合され、優れた部品加工性を達成できる。他の例として、支脚フレーム２２０の根元部２２１と先端２２３との間の中間部２２２は長手方向において一定の横断面積または縦断面積を有してもよい。この場合、支脚フレーム２２０の横断面積または縦断面積は中間部２２２から先端２２３へ行くほど小さくなる。
【００４０】
支脚フレーム２２０が金属材料からなるので、支脚フレーム２２０は強度を確保しつつ細く形成できる。従って、支脚フレーム２２０と複合する支脚部２３０も強度を強くすると同時に細くて軽量に形成することができる。
【００４１】
また、支脚フレーム２２０は支脚部２３０との複合時に、支脚部２３０との確実な固着のための要素を有する。上記要素は支脚フレーム２２０において、凹部として具現することができる。具体的に、上記凹部は、支脚フレーム２２０の一面に形成される穴、支脚フレーム２２０の一部が丸く窪んで切り欠かれた切欠部、支脚フレーム２２０の横断面積が小さくなって再び広くなるネック部等を含む。
【００４２】
図４Ａ〜図４Ｄはこのような凹部の多様な例を示す。図４Ａに示す例では、上記凹部の例として、支脚フレーム２２０のその先端付近にその長手方向に沿って複数の穴２２６が形成されている。図４Ｂに示す例では、上記凹部の例として、支脚フレーム２２０の先端付近において、支脚フレーム２２０の一部が丸く窪むように切り欠かれて形成される、複数の切欠部２２７が長手方向に沿って形成されている。図４Ｃに示する例では、上記凹部の例として、支脚フレーム２２０の横断面積または縦断面積が先端２２３へ行くほど小さくなって再び広くなるネック部２２８が先端２２３付近に１つ形成されている。図４Ｄに示す例では、上記凹部の例として、支脚フレーム２２０の横断面積または縦断面積が先端２２３へ行くほど小さくなって再び広くなるネック部２２９が２つ形成されている。前述した凹部即ち、穴２２６、切欠部２２７、ネック部２２８,２２９によって、支脚フレーム２２０と支脚部２３０の複合時に、支脚部２３０をなす材料が前述した凹部に埋められるようになり、支脚フレーム２２０と支脚部２３０は支脚フレーム２２０の先端付近で支脚部２３０と確実に固着することができる。
【００４３】
魚を釣り上げる際に、釣り糸にテンションが掛かり、ガイドリング部２４０へ負荷を伝達する。その負荷を支脚部２３０が支える事となり、力のモーメント上、釣糸ガイドに２００おける釣糸から掛けられた負荷は、取付部２１０と支脚フレーム２２０の境界に、即ち支脚フレーム２２０の根元部２２１または取付部２１０の後端２１４に集中し得る。しかし、一体に形成される支脚フレーム２２０と取付部２１０が金属材料からなっているため、負荷が集中する支脚フレーム２２０の根元部２２１または取付部２１０の後端２１４における変形または破損が起き難い。
【００４４】
支脚部２３０は少なくとも支脚フレーム２２０の全長にわたって支脚フレーム２２０と長手方向に渡って滑らかに複合している。ここで、「少なくとも」という用語は、支脚部２３０が支脚フレーム２２０の全長にわたって複合する場合及び支脚部２３０の長さが支脚フレーム２２０の全長よりも長いため支脚フレーム２２０の先端の上に支脚フレーム２２０と複合しない部分を有する場合を含む。また、「複合」という用語は、支脚フレーム２２０がその横断面における外周が全く露出しないように支脚部２３０に完全に埋め込まれる場合、少なくとも支脚フレーム２２０の長手方向における一面が露出するように、即ち支脚フレーム２２０の横断面における外周の一部が露出するように支脚部２３０に埋め込まれる場合を含む。
【００４５】
この実施例において、支脚部２３０は支脚フレーム２２０の形状と同じようにＶ字状に取付部２１０の後端２１４から延びる。支脚部２３０の先端２２３にガイドリング部２４０が位置している。ガイドリング部２４０にはセラミック材料からなる硬質リング２５０が嵌合されている。
【００４６】
支脚部２３０とガイドリング部２４０の一部または全部はプラスチック材料からなる。上記プラスチック材料は熱可塑性の繊維強化プラスチック、その他の成形性が良好なプラスチックを含む。
【００４７】
図５Ａ〜図５Ｃは支脚部２３０と支脚フレーム２２０間の複合に関する例を横断面で示す。図５Ａに示すように、支脚フレーム２２０の２面が露出するように支脚フレーム２２０が支脚部２３０に埋め込まれることができる。従って、支脚フレーム２２０の横断面における外周の半分５０％が支脚部２３０と接する。図５Ｂに示すように、支脚フレーム２２０の１つの面が露出するように支脚フレーム２２０が支脚部２３０に埋め込まれることができる。図５Ｃに示すように、支脚フレーム２２０は支脚部２３０内に完全に埋め込まれることができる。従って、支脚フレーム２２０の横断面における外周全体１００％が支脚部２３０と接する。即ち、支脚フレーム２２０と支脚部２３０の複合と関連し、横断面における複合の範囲は、支脚フレーム２２０の横断面における外周を基準として、上記外周の５０％〜１００％である。このように、支脚フレーム２２０の全長にわたって支脚部２３０が支脚フレーム２２０と複合するので、支脚部２３０の全長にわたって段差が生まれない。従って、後述するように釣竿を振って仕掛けをキャストするときに、釣り糸ガイド２００への釣り糸の絡みが自動で解除される際の妨げとならない。
【００４８】
支脚部２３０は支脚フレーム２２０の根元部２２１または取付部２１０と支脚フレーム２２０の境界まで支脚フレーム２２０と複合している。従って、取付部２１０を巻き糸１１０で巻き付け、コーティングを施した後は釣竿１００と支脚部２３０の間には段差が生まれず、釣糸の引っ掛かりを誘発させない。
【００４９】
支脚フレーム２２０はその先端２２３へ行くほど小さくなる断面積を有するので、支脚部２３０は先端２２３へ行くほど剛性が低くなり、優れた柔軟性を持つようになる。また、釣り糸による外力または風力によって支脚部２３０が撓むとき、支脚フレーム２２０の先端２２３付近で柔軟性に優れるため、支脚フレーム２２０と支脚部２３０間に剥離が発生するのを防ぐ。
【００５０】
図６〜図１０を参照して、支脚フレーム２２０の根元部付近における支脚部２３０の複合例及びこれにともなう巻き糸１１０の巻き付け例を説明する。
【００５１】
図６を参照すると、支脚部２３０は取付部２１０の上面２１１に接触するように支脚フレーム２２０と複合することができる。即ち、支脚部２３０の取付部２１０の上面２１１に面する下端２３１が取付部２１０の上面２１１と接触するように、支脚部２３０は支脚フレーム２２０と複合することができる。従って、取付部２１０の上面２１１の全領域図６においてＢ１として指示されているは支脚部２３０によって覆われる領域と露出する領域図６においてＢ２として指示されているに分けられる。この実施例において、取付部２１０の上面２１０のうち支脚部２３０によって覆われず露出する領域Ｂ２の上面２１１の全領域に対する長さの比率「即ち、［Ｂ２／Ｂ１］×１００」は８０％以上である。ここで、上記比率は上面２１１の全領域Ｂ１に対する上面２１１の支脚部２３０により覆われず露出する領域Ｂ２の面積比率であってもよい。露出領域Ｂ２の露出比率が８０％未満の場合、取付部２１０への巻き糸１１０の量が少なくなり、必要となる取付強度を得ることができない。図７は図６に示す取付部２１０に巻き糸１１０が巻き付けられたものを例示する。
【００５２】
図８を参照すると、支脚部２３０の上面２１１に面する下端２３１と取付部２１０の上面２１１との間に所定サイズの溝または間隙Ｇができるように、支脚部２３０と支脚フレーム２２０は複合することができる。間隙Ｇの大きさは巻き糸１１０の太さ、接着剤の塗布厚などによって変わることがある。間隙Ｇの大きさは取付部２１０に巻き糸１１０が巻き付けられるとき、間隙Ｇに巻き糸１１０を巻き付けることができるサイズに設定されている。一例として、間隙Ｇの大きさは２ｍｍ以下となることができる。間隙Ｇにより取付部２１０の上面２１１は略全体が露出する。よって、より多くの巻き糸１１０が取付部２１０に巻き付けられることができて釣り糸ガイド２００を釣竿１００により堅固に取り付けることができる。
【００５３】
図８において、取付部２１０の上面２１１と支脚部２３０の下端２３１との間にある間隙Ｇを通じて支脚フレーム２２０の一部面が露出しているものが例示されているが、支脚部２３０は、間隙Ｇを通じて支脚フレーム２２０が露出することなく取付部２１０の上面２１１との間に間隙Ｇができるように支脚フレーム２２０と複合することもできる。図９は図８に示す取付部２１０に巻き糸１１０が巻き付けられたものを例示する。図９において、巻き付けられている巻き糸１１０に接着剤が塗布されれば表面張力または毛細管現象により接着剤が間隙Ｇを埋めるようになり、従って、コーティング層１２０と支脚部２３０間に段差が生まれない。また、上記間隙Ｇがある支脚フレーム２２０の面の反対側となる面における支脚部２３０の一部または全ては釣竿１００に接触しているので、支脚部２３０の下端の全周にコーティング層１２０が形成されなくても、釣竿１００と支脚部２３０の間には段差が生まれず、釣糸の引っ掛かりを誘発させない。
【００５４】
図１０及び図１１は他の実施例による釣り糸ガイドを示す。図１０に示す釣り糸ガイド３００は、前述した実施例による釣り糸ガイド２００と比較して支脚フレーム３２０の根元部３２１が異なって構成されており、これに合わせて支脚部３３０の下端が異なって構成されている。
【００５５】
図１１を参照すると、各支脚フレーム３２０の根元部３２１は、取付部２１０の後端２１４に共通部を介して一体になることなくそれぞれ接続されている。また、各支脚部３３０は取付部２１０に向かう下端が取付部２１０の上面に接触するようにまたは間隙をおくように支脚フレーム３２０と複合することができる。
【００５６】
図１２及び図１３は他の実施例による釣り糸ガイドを示す。図１２に示す釣り糸ガイド４００は１個の支脚部４３０と１個の支脚フレーム４２０を備えることを除いては、前述した釣り糸ガイド２００と同一の構成を有する。支脚フレーム４２０は根元部４２１で取付部２１０の後端につながる。支脚フレーム４２０の横断面積は根元部４２１から先端４２３へ行くほど小さくなる。
【００５７】
図１４及び図１５は他の実施例による釣り糸ガイドを示す。図１４に示す釣り糸ガイド５００は取付部の形状が変形されており、補助取付部、補助支脚フレーム及び補助支脚部をさらに備えることを除いては、前述した釣り糸ガイド２００と同一の構成を有する。
【００５８】
図１４及び図１５を参照すると、釣り糸ガイド５００はガイドリング部２４０から延びる補助支脚部５８０を備える。補助支脚部５８０はガイドリング部２４０を基準として支脚部２３０の反対の側に位置する。側面から見て支脚部２３０と補助支脚部５８０間の角度は釣り糸ガイド５００の必要強度を考慮して適宜定めることができる。また、補助支脚部５８０と釣竿との連結のために、補助取付部５６０と補助取付部５６０の後端から補助取付部５６０と一体に延びる補助支脚フレーム５７０を備える。補助支脚部５８０は少なくとも補助支脚フレーム５７０の全長にわたって補助支脚フレーム５７０と複合している。補助支脚フレーム５７０と補助支脚部５８０の複合形態は前述した釣り糸ガイド２００における複合形態と同一である。また、補助支脚フレーム５７０の横断面形状、先端の構成も釣り糸ガイド２００における支脚フレーム２２０と同一である。また、図１２及び図１３を参照して説明した支脚フレーム４２０と支脚部４３０が補助支脚フレーム５７０と補助支脚部５８０に採用されてもよい。
【００５９】
前述した釣り糸ガイド２００,３００,４００,５００は、まず取付部２１０,５１０と支脚フレーム２２０,３２０,４２０の組合わせ体を形成し、続いて支脚部２３０,３３０,４３０とガイドリング部２４０を形成する。
【００６０】
取付部２１０,５１０と支脚フレーム２２０,３２０,４２０が一体になっている組合わせ体はプレス加工により形成することができる。また、取付部２１０,５１０の先端部は切削加工により鋭利に薄く形成され得る。このような組合わせ体を用いた支脚部２３０,３３０,４３０とガイドリング部２４０の形成はインサート成形により行うことができる。例えば、支脚部２３０,３３０,４３０とガイドリング部２４０の形状を有する金型内に上記組合わせ体における支脚フレーム２２０,３２０,４２０を配置し、熱可塑性の繊維強化プラスチックまたは他の熱可塑性プラスチックの溶融液を金型内に注入させて成形して、少なくとも支脚フレーム２２０,３２０,４２０の全長にわたり取付部２１０,５１０に達するまで複合している支脚部２３０,３３０,４３０とその上に形成されるガイドリング部２４０が得られる。
【００６１】
上記組合わせ体を用いて支脚部２３０,３３０,４３０とガイドリング部２４０を形成するのはプリプレグ（prepreg）積層成形、即ち樹脂浸透加工材の積層成形によって行うこともできる。図１６Ａ〜図１６Ｃは樹脂浸透加工材の積層成形により支脚部とガイドリング部を製造するところを例示する。図１６Ａに示すように、上記組合わせ体における支脚フレーム２２０を複数の樹脂浸透加工材２６１,２６２,２６３の間に差し入れ加圧して支脚フレーム２２０と複合する支脚部２３０が得られる。積層された樹脂浸透加工材を釣り糸ガイド２００の形状に合わせて切削またはグラインディングして釣り糸ガイド２００が得られる。切削またはグラインディングにより完成した釣り糸ガイド２００が図１６Ｃに示されている。図１６Ａに示す例では、３枚の樹脂浸透加工材２６１,２６２,２６３が使われており、中間の樹脂浸透加工材２６２には支脚フレーム２２０の形状に対応するＶ字状の切欠部２６４が形成されている。
【００６２】
前述した実施例による釣り糸ガイド２００において釣り糸の絡みが解消される形状の特徴の例が図１７Ａ〜図１７Ｅに示されている。キャスト直後に釣り糸ガイドのガイドリング部を通過する釣り糸がガイドリング部に巻き付いて絡まることがある。このような絡みが発生する現象は大韓民国登録特許第１０-１１３２４３７号公報の段落[０００４]等に記載されている。図１７Ａ〜図１７Ｅは、仕掛けをキャストする時に、釣り糸１３０がガイドリング部に巻き付いて絡みが発生した場合、釣り糸１３０が釣り糸ガイド２００を回りながら形成される折り返し部１３１が良好に移動して釣り糸の絡みを解消するのを順に示している。
【００６３】
釣り糸ガイド２００において、支脚部２３０は少なくとも支脚フレーム２２０の全長にわたって支脚フレーム２２０と複合されているので、支脚フレーム２２０と支脚部２３０は長手方向に段差なく滑らかに形成される。従って、釣り糸１３０において、釣り糸ガイド２００のガイドリング部に絡みが発生しても図１７Ａ及び図１７Ｂ、釣り糸１３０を釣竿１００の略長手方向に引っ張ることで釣り糸１３０の折り返し部１３１が支脚部２３０に沿って良好に移動して釣り糸の絡みが容易に解消される図１７Ｃ〜図１７Ｅ。
【００６４】
また、釣り糸ガイド２００が釣竿１００に取り付けられるとき、図７に示すとおり、ガイドリング部２４０は釣竿のティップ（tip）側図７において右側方向に傾斜し、またガイドリング部２４０と支脚部２３０の接合角度が釣竿ティップ（tip）側よりも釣竿のバット（butt）側のほうが小さくなっていることが釣り糸の絡み解消をより容易にするのに好ましい。
【００６５】
釣り糸の絡みには前述した例以外にもいろいろな絡みがあり得る。釣り糸の絡みは釣り糸が釣り糸ガイド２００の表面に沿って滑りながら移動し解けるため、釣り糸の絡みの解消に対して支脚フレーム２２０と支脚部２３０は長手方向に段差なく滑らかに形成されることが重要である。
【００６６】
図１７Ａ〜図１７Ｅに示すような、釣り糸１３０の折り返し部１３１の良好な移動による絡み解消と対比するために、比較例による釣り糸ガイドにおいて釣り糸の絡みが解消されない例を図１８Ａ〜図１８Ｃに示す。図１８Ａ〜図１８Ｃを参照すると、比較例による釣り糸ガイド２００’では、支脚部２３０’が支脚フレーム２２０’の全長にかけて複合されていない。従って、支脚フレーム２２０’が相当な長さにかけて露出しており、支脚部２３０’の取付部に面する下端２３１’は支脚フレーム２２０’との間に長手方向に段差部として作用するようになる。従って、釣りにおけるキャスト時に、支脚フレーム２２０’を回りながら形成される折り返し部１３１は段差として作用する下端２３１’に引っ掛かるようになり図１８Ｃ、釣り糸１３０を釣竿１００の長手方向に引っ張っても、釣り糸１３０の折り返し部１３１が引き寄せられず釣り糸の絡みが容易に解消されない。
【００６７】
図１９は本発明の他の釣竿用部品が釣竿に取り付けられているのを例示する。図１９において、釣竿用部品の他の例としてリールシート６００が釣竿１００に取り付けられている。リールシート６００はその両端に位置した取付部を釣竿１００に接触させ、巻き糸１１０で取付部の周囲を密に巻いて釣竿１００に取り付けられる。リールシート６００の取付後、巻き糸１１０が巻き付けられた部分に接着剤を塗布して巻き糸１１０が巻き付けられた部分を覆うコーティング層１２０を形成する。
【００６８】
図２０〜図２２は図１９に示したリールシートを詳細に示す。一実施例によるリールシート６００は前述した釣り糸ガイド２００が備える取付部２１０、支脚フレーム２２０と類似に構成される取付部６１０と支脚フレーム６２０を備える。また、リールシート６００は少なくとも支脚フレーム６２０の全長にわたって支脚フレーム６２０と複合しているシート本体６３０と、シート本体６３０に結合されている固定ホルダー６４１及び移動ホルダー６４２を備える。移動ホルダー６４２はシート本体６３０に沿って固定ホルダー６４１に近づいたり遠ざかるように移動可能である。リール図示せずは固定ホルダー６４１と移動ホルダー６４２の間でシート本体６３０上に装着される。
【００６９】
前述した釣り糸ガイド２００における取付部２１０と支脚フレーム２２０の組合わせ体のように、取付部６１０と支脚フレーム６２０は一体に形成され、金属材料からなる。支脚フレーム６２０は取付部６１０の後端６１４からＵ字状に延びる。リールシート６００の取付部６１０及び支脚フレーム６２０として、前述した釣り糸ガイド２００,３００,４００,５００における取付部２１０,５１０及び支脚フレーム２２０,３２０,４２０を用いることもできる。
【００７０】
この実施例では、一対の取付部６１０と支脚フレーム６２０の組合わせ体がシート本体６３０と結合する。シート本体６３０の長手方向の両端に取付部６１０と支脚フレーム６２０の組合わせ体が配置される。シート本体６３０はその一端から内側に一定区間において支脚フレーム６２０と複合している。シート本体６３０は繊維強化プラスチックまたはその他の成形性に優れたプラスチック材料からなる。取付部６１０と支脚フレーム６２０の組合わせ体をなす金属材料として前述した釣り糸ガイド２００の取付部２１０と支脚フレーム２２０をなす金属材料が採用されることができる。また、シート本体６３０に採用されるプラスチック材料として、前述した釣り糸ガイド２００の支脚部２３０に採用されるプラスチック材料が採用されることができる。リールシート６００のシート本体６３０は、取付部６１０と支脚フレーム６２０の組合わせ体を形成し、この組合わせ体の支脚フレーム６２０を前述したインサート成形によりまたは樹脂浸透加工材の積層成形により形成できる。
【００７１】
実施例によるリールシート６００は、釣竿１００に取り付けられる取付部６１０とこれから延びる支脚フレーム６２０が金属材料からなり加工性に優れ、シート本体６３０がプラスチック材料からなり軽量化を達成できる。
【００７２】
以上で説明した本発明は、前述した実施例及び添付の図面により限定されるものではない。例えば、前述した実施例及び添付の図面においては、釣竿用部品が取付部に巻き付けられる巻き糸によって釣竿に取り付けられているが、釣竿用部品を釣竿に取り付けるための手段がこれに限定されるわけではない。釣竿用部品は取付部に巻き付けられる接着テープ例えば、ポリエステル粘着テープまたは取付部がとめられるゴムチューブ等を用いて釣竿に取り付けることもできる。また、本発明の技術的思想を逸脱しない範囲で様々な置換、変形及び変更が可能であるということは本発明の属する技術分野で通常の知識を有する者において明白である。
【符号の説明】
【００７３】
１００釣竿、１１０  巻き糸、１２０  コーティング層、１３０  釣り糸、２００,３００,４００,５００  釣り糸ガイド、２１０,５１０  取付部、２１１  上面、２１２  下面、２１３  先端、２１４  後端、２１５  先端部、２２０,３２０,４２０  支脚フレーム、２２１,３２１,４２１  根元部、２２２,４２２  中間部、２２３,３２３,４２３  先端、２３０,３３０,４３０  支脚部、２３１  取付部に面する下端、２４０  ガイドリング部、２５０  硬質リング、２６１,２６２,２６３  樹脂浸透加工材、２６４  切欠部、５６０  補助取付部、５７０  補助支脚フレーム、５８０  補助支脚部、６００  リールシート、６１０  取付部、６１４  後端、６２０  支脚フレーム、６２１  根元部、６２３  先端、６３０  シート本体、６４１  固定ホルダー、６４２  移動ホルダー。
【要約】
この釣り糸ガイドは、要求される強度を保障しながらも軽量でなり、釣り糸の引っ掛かりを誘発する段差部がない釣り糸ガイドを提供する。実施例による釣り糸ガイド（２００）は、取付部（２１０）と、支脚フレーム（２２０）と、支脚部（２３０）と、ガイドリング部（２４０）とを備える。取付部（２１０）は先端と後端を有し、釣竿に接触する。支脚フレーム（２２０）は取付部（２１０）の後端から延び取付部（２１０）と一体に形成されている。取付部（２１０）及び支脚フレーム（２２０）は金属材料からなる。支脚部（２３０）は取付部（２１０）の後端から延び少なくとも支脚フレーム（２２０）の全長にわたって支脚フレーム（２２０）と複合している。ガイドリング部（２４０）は支脚部（２３０）の先端に位置しており釣り糸が通過する。支脚部（２３０）及びガイドリング部（２４０）の一部または全部はプラスチック材料からなる。支脚フレーム（２２０）の少なくとも一部の断面積は支脚フレーム（２２０）の先端へ行くほど小さくなる。【図１】
0005736527.tif 000002
【図２】
0005736527.tif 000003
【図３】
0005736527.tif 000004
【図４Ａ】
0005736527.tif 000005
【図４Ｂ】
0005736527.tif 000006
【図４Ｃ】
0005736527.tif 000007
【図４Ｄ】
0005736527.tif 000008
【図５Ａ】
0005736527.tif 000009
【図５Ｂ】
0005736527.tif 000010
【図５Ｃ】
0005736527.tif 000011
【図６】
0005736527.tif 000012
【図７】
0005736527.tif 000013
【図８】
0005736527.tif 000014
【図９】
0005736527.tif 000015
【図１０】
0005736527.tif 000016
【図１１】
0005736527.tif 000017
【図１２】
0005736527.tif 000018
【図１３】
0005736527.tif 000019
【図１４】
0005736527.tif 000020
【図１５】
0005736527.tif 000021
【図１６Ａ】
0005736527.tif 000022
【図１６Ｂ】
0005736527.tif 000023
【図１６Ｃ】
0005736527.tif 000024
【図１７Ａ】
0005736527.tif 000025
【図１７Ｂ】
0005736527.tif 000026
【図１７Ｃ】
0005736527.tif 000027
【図１７Ｄ】
0005736527.tif 000028
【図１７Ｅ】
0005736527.tif 000029
【図１８Ａ】
0005736527.tif 000030
【図１８Ｂ】
0005736527.tif 000031
【図１８Ｃ】
0005736527.tif 000032
【図１９】
0005736527.tif 000033
【図２０】
0005736527.tif 000034
【図２１】
0005736527.tif 000035
【図２２】
0005736527.tif 000036
【図２３Ａ】
0005736527.tif 000037
【図２３Ｂ】
0005736527.tif 000038
【図２３Ｃ】
0005736527.tif 000039